(57)【要約】【課題】  ガス配管内の微少漏洩検知を簡単かつ確実に、効率よく実施することができる常時監視型のガス微少漏洩検知装置を提供する。【解決手段】  ガス供給源とガス消費設備を接続する供給管路に、ガス圧を所定の供給圧力に調整するためのガス圧力調整器を設置し、前記ガス圧力調整器の弁体を駆動する調圧機構部材に、ひずみゲージ及び半導体ひずみ計を使用したガス微少漏洩検出部を設け、前記ガス圧力調整器の調圧機能によって前記調圧機構部材に加わる応力による微少ひずみの変化を電気信号として出力し、この電気信号をマイコン式コントローラに入力して処理・判断する。【選択図】  図１
2005338012.tif 000002
【特許請求の範囲】
【請求項１】
ガス供給源とガス消費設備を接続する供給管路に、ガス圧を所定の供給圧力に調整するためのガス圧力調整器を設置し、前記ガス圧力調整器の弁体を駆動する調圧機構部材に、ひずみゲージ及び半導体ひずみ計を使用したガス微少漏洩検出部を設け、前記ガス圧力調整器の調圧機能によって前記調圧機構部材に加わる応力による微少ひずみの変化を電気信号として出力し、この電気信号をマイコン式コントローラに入力して処理・判断するようにした常時監視型のガス微少漏洩検知装置。
【請求項２】
前記圧力調整器の調圧機構が、調整バネの押圧されるダイヤフラムラムと、前記ダイヤフラムの支持部材と一体的に変位する連動軸と、支軸部の周りに揺動可能に設けられ、基端部が前記連動軸の先端部に連結され、先端部が前記弁体に連結されたレバーとで構成されており、
前記ガス微少漏洩検出部を設ける調圧機構部材が、前記連動軸であることを特徴とする請求項１に記載のガス微少漏洩検知装置。
【請求項３】
前記圧力調整器の調圧機構が、調整バネの押圧されるダイヤフラムラムと、前記ダイヤフラムの支持部材と一体的に変位する連動軸と、支軸部の周りに揺動可能に設けられ、基端部が前記連動軸の先端部に連結され、先端部が前記弁体に連結されたレバーとで構成されており、
前記ガス微少漏洩検出部を設ける調圧機構部材が、前記レバーであることを特徴とする請求項１に記載のガス微少漏洩検知装置。
【発明の詳細な説明】
【技術分野】
【０００１】
本発明は、液化石油ガス等のガス圧力調整器内に組み込まれた微少流量検知装置に関するものである。
【背景技術】
【０００２】
ガス圧力調整器の下流側におけるガスの微少流量検知方式方法として図３に示したような流量検知式
切替型漏洩検知装置がある（例えば特許文献１参照）。
この流量検知式切替型漏洩検知装置は、ガス供給管路４に挿入された親圧力調整器１と、親圧力調整器１の出口側に挿入され、親圧力調整器１より出口圧力を少し高く設定した子圧力調整器２と、子圧力調整器２の出口側と供給管路４を連絡するバイパス管路５に挿入された微少流量検出用マイコン式ガスメータ３とからなっている。
【０００３】
この流量検知式切替型漏洩検知装置では、圧力調整器の下流側に微少のガス漏れが発生した場合、マイコン式ガスメータが微少流量を一定期間連続して検出した時に漏れと判断する機能のため、流量有無の判断に時間がかかる。そのため安全上並びに経済面から問題がある。
また、流量検知式切替型漏洩検知装置は、複雑なガス配管系設備となり、配管のための技術知識の要求度が高い。さらにまた設置に人手を多く要するため、人的及び経済的な面から課題が多いという問題がある。
【０００４】
【特許文献１】特公平７−９９３４８号公報
【発明の開示】
【発明が解決しようとする課題】
【０００５】
本発明は、圧力調整器の調圧機構部材にひずみゲージ及び半導体ひずみ計よりなる微少漏洩検出部を設けることによって短期間でガス漏れの有無判断を行ない、漏れたガスの引火・爆発といった安全上の問題を解消するものである。
また、本発明は、供給管路中のガス圧力調整器の設置を1系列だけとして、全体装置の小型化と構造の簡素化を図り、設置工事の容易化と維持管理の容易化を行なうものである。
さらにまた、本発明は、ガス漏洩検知の判断に長時間を必要としないため、的確な常時監視によって漏
洩事故を未然に防ぎ、電話回線等のオンラインによる気密漏洩検知を可能とするものである。
【課題を解決するための手段】
【０００６】
本発明の常時監視型のガス微少漏洩検知装置では、ガス供給源とガス消費設備を接続する供給管路に、ガス圧を所定の供給圧力に調整するためのガス圧力調整器を設置し、前記ガス圧力調整器の弁体を駆動する調圧機構部材に、ひずみゲージ及び半導体ひずみ計を使用したガス微少漏洩検出部を設け、前記ガス圧力調整器の調圧機能によって前記調圧機構部材に加わる応力による微少ひずみの変化を電気信号として出力し、この電気信号をマイコン式コントローラに入力して処理・判断するものである。
【０００７】
このように構成されたガス微少漏洩検知装置では、ガス圧力調整器の下流側におけるガス消費が停止すると、内部調圧機構部の弁体がノズルに向けて駆動され、ガスの流れを停止させる。
このガスの流れの停止時には、ガス微少漏洩検出部が装着されている調圧機構部材に力が加わり、これによるひずみは電圧出力として検出され、抵抗ブリッジ回路からの出力電圧変化としてコントローラにて処理され、ガス圧力調整器の下流側におけるガス微少漏洩の有無が判断される。
【０００８】
ガス圧力調整器から流れるガスが完全に停止すると、ガス圧力調圧器は閉塞状態となり、調圧機構部材のひずみ値は最大となり、漏れなしと判断する。しかし、ガス圧力調整器の下流側にガスの微少漏洩が発生した場合には、ガス漏洩量の多少によって差はあるが、ひずみ値は低下する。ガス圧力調整器の下流側のガス消費設備でガス消費がされた場合、ひずみ値は最少となる。このようにひずみの値を知ることにより、応力とひずみ値の関係からガス漏洩の流量の特定が可能となる。
【０００９】
前記抵抗ブリッジ回路は、微少な抵抗変化から電圧変化を出力するようになっており、半導体ひずみ計からの電圧出力値によってガス配管内のガス微少漏洩の有無ならびにガス漏洩流量が確実に判断される。
【発明の効果】
【００１０】
本発明のガス微少漏洩検知装置では、圧力調整器の下流側でガス消費がないのにもかかわらず、ガス微少漏洩検出部のひずみゲージ及び半導体ひずみ計の抵抗ブリッジ回路からの出力信号（電圧出力）が低下した場合には、コントローラに入力された電圧出力値に基づいて判断処理を行なうため、短期間でガス漏れの有無を判断することができる。
判断時間が短いため、ガス漏れ開始から判断終了までの漏洩ガス量を最小限にとどめることができ、漏洩ガスの引火・爆発の安全上の問題を的確に回避でき、ガス漏洩による経済上の損失を低減させることができる。
【００１１】
また、本発明ガス微少漏洩検知装置では、ガス供給源とガス消費設備を接続する供給管路中のガス圧力調整器の設置は1系列だけでよいので、全体装置の小型化と構造の簡素化が図れ、設置工事が容易であり、機能が簡素化されているため設置後の維持管理も容易にできる。
【００１２】
上記のようにガス漏洩検知の判断に長時間を必要としないため、常時監視システムに適するものであり、的確な常時監視によって漏洩事故を未然に防ぐことができる。また電話回線等のオンラインによって気密漏洩検知が可能となるため非常に有益である。
本発明によれば、ガス配管内の微少漏洩検知を簡単かつ確実に、効率よく実施することができる。
【発明を実施するための最良の形態】
【００１３】
前記圧力調整器の調圧機構としては公知のダイヤフラム弁機構を使用することができる。この調圧機構は、調整バネで押圧されるダイヤフラムラムと、前記ダイヤフラムの支持部材と一体的に変位する連動軸と、支軸部の周りに揺動可能に設けられ、基端部が前記連動軸の先端部に連結され、先端部が前記弁体に連結されたレバーとで構成される。
前記ガス微少漏洩検出部を設ける調圧機構部材は、前記連動軸または前記レバーである。
【実施例】
【００１４】
図１に示した実施例では、圧力調整器Ｒの内部調圧機構の基本的構成は、公知のダイヤフラム弁機構と同じである。ダイヤフラム４は調整バネ７の押圧下において出口部３側の圧力変動に応じて変位する。連動軸９は、ダイヤフラム４の支持部材１０と一体的に変位するように支持部材１０の中心部に装着されている。レバー１３は、ピン状の支軸部１１の周りに揺動するように調整器本体１に支持されている。連動軸９の先端部に横方向に設けた連結孔１６には、レバー１３の基端部が嵌挿されている。レバー１３の先端部上面に設けた連動溝１７には、弁体５の基端部に設けた連動ピン１２が挿入されている。弁体５の先端部には、入口部のノズル１８に押し当てられる弁ゴム６が装着されている。調整器本体１には、ダイヤフラム４を包囲するカバー２が固着され、カバー２の上端筒部にはキャップ８が嵌められている。この上端筒部の内側肩面には、圧縮コイルバネよりなる調整バネ７の上端が当接している。ガス微少漏洩検出部１５は、レバー１３に装着されている。
【００１５】
図２に示した実施例においても、圧力調整器Ｒの内部調圧機構の基本的構成は、公知のダイヤフラム弁機構と同じである。ダイヤフラム４は調整バネ７の押圧下において出口部３側の圧力変動に応じて変位する。連動軸９は、ダイヤフラム４の支持部材１０と一体的に変位するように支持部材１０の中心部に装着されている。レバー１３は、ピン状の支軸部１１の周りに揺動するように調整器本体１に支持されている。連動軸９の先端部に横方向に設けた連結孔１６には、レバー１３の基端部が嵌挿されている。レバー１３の先端部上面に設けた連動溝１７には、弁体５の基端部に設けた連動ピン１２が挿入されている。弁体５の先端部には、ノズル１８に押し当てられる弁ゴム６が装着されている。調整器本体１には、ダイヤフラム４を包囲するカバー２が固着され、カバー２の上端筒部にはキャップ８が嵌められている。この上端筒部の内側肩面には、圧縮コイルバネよりなる調整バネ７の上端が当接している。ガス微少漏洩検出部１５は、連動軸９に装着されている。
【００１６】
いずれの実施例においてもガス微少漏洩検出部１５には、公知のひずみゲージ及び半導体ひずみ計が使用されている。ガス微少漏洩検出部１５には電気配線によってコントローラ１４が接続されている。コントローラ１４には、ガス微少漏洩検出部１５の検出信号に基づいてガス漏れ有無と量を判断する論理回路が組み込まれている。コントローラ１４には、必要に応じてガス漏れ警報器等が内蔵され、あるいは有線または無線通信によって外部のガス漏れ警報器等が接続される。
【図面の簡単な説明】
【００１７】
【図１】本発明の一実施例に係るガス微少漏洩検知装置を組み込んだ圧力調整器の断面図である。
【図２】本発明の別の実施例に係るガス微少漏洩検知装置を組み込んだ圧力調整器の断面図である。
【図３】従来の流量検知式切替型漏洩検知装置のシステム構成図である。
【符号の説明】
【００１８】
Ｒ  圧力調整器
１  調整器本体
２  カバー
３  出口部
４  ダイヤフラム
５  弁体
６  弁ゴム
７  調整バネ
８  キャップ
９  連動軸
１０  支持部材
１１  支軸部
１２  連動ピン
１３  レバー
１４  コントローラ
１５  ガス微少漏洩検出部
１６  連結孔
１７  連結溝
１８  ノズル
【図１】
2005338012.tif 000003
【図２】
2005338012.tif 000004
【図３】
2005338012.tif 000005